(57)【要約】【課題】立体的な形状をとらせることが容易な使い捨ての体液吸収性物品の提供。【解決手段】パンツ型の使い捨ておむつ等と併せて着用する体液吸収性物品１が面対称を成して向かい合うパネル状の第１部位３と第２部位４とからなる。第１部位３と第２部位４とは、Ｃ字形と逆Ｃ字形とを画くように湾曲した形状のものであって、Ｃ字形と逆Ｃ字形とにおける外縁部を形成しているフラップの一部分１８と１１８とにおいて一体になる。【選択図】      図１
2004267356.tif 000002
【特許請求の範囲】
【請求項１】
パンツ型着用物品の内側に位置させて前記着用物品と併せて着用可能な使い捨ての体液吸収性物品であって、
前記体液吸収性物品が着用者の腹側部と背側部と股部とに位置する前部と後部と中間部とを有し、これら各部の幅を２等分する中心線を含む面に関して面対称を成して向かい合うパネル状の第１部位と第２部位とからなるものであり、前記第１部位と第２部位とは前記中心線の両側でほぼＣ字形と逆Ｃ字形とを画くように湾曲した形状のものであって前記着用物品着用者の肌と向かい合う透液性の内面シートと前記着用物品と向かい合う不透液性の外面シートとこれら両シート間に介在する体液吸収性コアとを有し、前記第１部位と第２部位との周縁部が前記Ｃ字形と逆Ｃ字形との内側にあって小さな弧を画く内縁部と、前記Ｃ字形と逆Ｃ字形との外側にあって大きな弧を画く外縁部と、これら内外縁部を前記前部においてつなぐ前縁部と、これら内外縁部を前記後部においてつなぐ後縁部とからなり、前記第１部位と第２部位とが互いの前記外縁部において一体となることによって前記中心線の両側に向かって拡開可能に形成されていることを特徴とする前記体液吸収性物品。
【請求項２】
前記第１部位と第２部位とは、前記コアを二分するように互いに別個に形成された第１コアと第２コアとを有し、これら第１コアと第２コアそれぞれにおける周縁部の外側には前記外面シートを含むフラップが形成され、前記フラップのうちで前記外縁部に位置する部位どうしが一体になっている請求項１記載の体液吸収性物品。
【請求項３】
前記第１部位と第２部位とが第１コアと第２コアとを有し、これら両コアが前記中心線上において連続した状態にあって前記コアを形成している請求項１記載の体液吸収性物品。
【請求項４】
前記フラップどうしが一体になっている部位では、前記不透液性の外面シートどうしが合掌状に重なり合い接合している請求項２記載の体液吸収性物品。
【請求項５】
前記コア、前記第１コアおよび前記第２コアは、いずれも一様な厚さのもので、その厚さが２〜１０ｍｍの範囲にある請求項１〜４記載の体液吸収性物品。
【請求項６】
前記コア、前記第１コアおよび前記第２コアは、前記前縁部および後縁部の少なくとも一方の近傍で厚さが特に薄くなるように形成されている請求項１〜４のいずれかに記載の体液吸収性物品。
【請求項７】
前記コア、前記第１コアおよび前記第２コアの剛軟度が８〜８００ｍＮ・ｃｍの範囲にある請求項１〜６のいずれかに記載の体液吸収性物品。
【発明の詳細な説明】
【０００１】
【発明の属する技術分野】
この発明は、使い捨てのパンツ型おむつ等の着用物品と併せて着用するのに適した使い捨ての体液吸収性物品に関する。
【０００２】
【従来の技術】
特開平５−２０００５９号公報（特許文献１）には、おむつカバーや使い捨ておむつ、パンツ型の下着等とともに補助的に使用される吸収性物品が開示されている。この吸収性物品では、予め矩形に作られた吸収性物品の前方部分を吸収性物品の内側へ湾曲させるとともにその前方部分の両側縁を起立させることによって、物品着用者の排尿部位を覆うことができるカップ状の凹部が形成されている。起立した両側縁には、弾性部材が伸長状態で取り付けられており、この弾性部材の収縮作用によって、凹部の形状が保たれている。
【０００３】
【特許文献１】
特開平５−２０００５９号公報
【０００４】
【発明が解決しようとする課題】
前記吸収性物品は、それが折り畳まれていると凹部が扁平な状態になるから、着用しようとするときには、吸収性物品を広げたならば凹部に指先を入れてその凹部がカップ状を呈するように復元させなければならない。ただし、このように形を復元させる作業が必要になるのは、前記吸収性物品に限らない。使い捨ておむつ等と併せて着用する男性用吸尿袋もまた、それがいくつも重ね合わせられた状態で梱包されていると偏平なものになるから、それを着用するときには袋を指先でふくらませて立体的な形を復元させ、ペニスを挿入し易くしなければならない。
【０００５】
この発明では、パンツ型の使い捨ておむつ等と併せて着用する前記公知のような使い捨て体液吸収性物品を、立体的な形状をとらせることが容易となるように改良することが課題である。
【０００６】
【課題を解決するための手段】
前記課題を解決するためのこの発明が対象とするのは、パンツ型着用物品の内側に位置させて前記着用物品と併せて着用可能な使い捨ての体液吸収性物品である。
【０００７】
前記体液吸収性物品において、この発明が特徴とするところは、次のとおりである。前記体液吸収性物品は、着用者の腹側部と背側部と股部とに位置する前部と後部と中間部とを有し、これら各部の幅を２等分する中心線を含む面に関して面対称を成して向かい合うパネル状の第１部位と第２部位とからなるものである。前記第１部位と第２部位とは、前記中心線の両側でほぼＣ字形と逆Ｃ字形とを画くように湾曲した形状のものであって、前記着用物品着用者の肌と向かい合う透液性の内面シートと前記着用物品と向かい合う不透液性の外面シートとこれら両シート間に介在する体液吸収性コアとを有する。前記第１部位と第２部位との周縁部が前記Ｃ字形と逆Ｃ字形との内側にあって小さな弧を画く内縁部と、前記Ｃ字形と逆Ｃ字形との外側にあって大きな弧を画く外縁部と、これら内外縁部を前記前部においてつなぐ前縁部と、これら内外縁部を前記後部においてつなぐ後縁部とからなる。前記第１部位と第２部位とは、互いの前記外縁部において一体となることによって、前記中心線の両側に向かって拡開可能に形成されている。
【０００８】
かかるこの発明には、次のような好ましい実施態様がある。
（１）前記第１部位と第２部位とは、前記コアを二分するように互いに別個に形成された第１コアと第２コアとを有し、これら第１コアと第２コアそれぞれにおける周縁部の外側には前記外面シートを含むフラップが形成され、前記フラップのうちで前記外縁部に位置する部位どうしが一体になっている。
（２）前記第１部位と第２部位とが第１コアと第２コアとを有し、これら両コアが前記中心線上において連続した状態にあって前記コアを形成している。
（３）前記フラップどうしが一体になっている部位では、前記不透液性の外面シートどうしが合掌状に重なり合い接合している。
（４）前記コア、前記第１コアおよび前記第２コアは、いずれも一様な厚さのもので、その厚さが２〜１０ｍｍの範囲にある。
（５）前記コアは、前記第１コアおよび前記第２コアは、前記前縁部および後縁部の少なくとも一方の近傍で厚さが特に薄くなるように形成されている。
（６）前記コア、前記第１コアおよび前記第２コアの剛軟度が８〜８００ｍＮ・ｃｍの範囲にある。
【０００９】
【発明の実施の形態】
添付の図面を参照して、この発明に係る使い捨ての体液吸収性物品の詳細を説明すると、以下のとおりである。
【００１０】
図１，２，３は、使い捨て体液吸収性物品１が拡開した状態にある部分破断斜視図と、図１の吸収性物品１がパンツ型着用物品２と併せて着用される状態を示す図と、図１の吸収性物品１が畳まれた状態にあるときの斜視図である。吸収性物品１は、その幅を２等分して湾曲しながら延びる中心線Ａを含む仮想の面Ｍに関して面対称をなす一対のほぼＣ字形および逆Ｃ字形の第１パネル部材３と第２パネル部材４とからなる（図６を併せて参照）。一対の第１、第２パネル部材３，４は、図１において中心線Ａの両側に向かって拡開した状態にあり、図３においては重なり合い閉じた状態にある。第１、第２パネル部材３，４が拡開した状態の吸収性物品１は、図２に示されるようにパンツ型着用物品２の内側に位置させて着用し、物品２の着用者の股部にフィットさせて排泄された尿等を吸収させることができる。図１において、吸収性物品１は舟形に湾曲しており、着用物品２の腹側部３１（図２参照）に位置させる前部６と、背側部３２に位置させる後部７と、股下部３３に位置させる中間部８とを有し、前部６と後部７とが中間部８よりも幅広く広がっている。一対を成す第１パネル部材３と第２パネル部材４とは、この発明において第１部位と第２部位と呼ばれるもので、形状が面対称を成すということにおいて互いに形状が異なるものではあるが、構造と使用材料とが実質的に同じであるから、以下では主として第１パネル部材３について説明する。また、第２パネル部材４では、第１パネル部材３の各部位に対応する第２パネル部材４の各部位が第１パネル部材３の参照符号に１００を加えて示されている。
【００１１】
第１パネル部材３は、着用者の肌と向かい合う内面シート１１と、内面シート１１の反対側にあって着用物品２と向かい合う外面シート１２と、これら両シート１１，１２の間に介在する体液吸収性のコア１６とを有し、コア１６がティシュペーパ１６ｔによって被覆されている。内面シート１１は、少なくともコア１６を覆う部分が透液性であり、外面シート１２はその全体が不透液性、より好ましくは撥水性かつ不透液性である。内面シート１１と外面シート１２とは、コア１６の周縁から延出して重なり合い、互いに接合してフラップ１７を形成している。フラップ１７のうちで、中心線Ａに沿う部分１８は、第２パネル部材４に形成されているフラップ１１７のうちで中心線Ａに沿う部分１１８と合掌状に重なり合って互いに接合し一体化している。第１パネル部材３の前部６と後部７とには、外面シート１２の外表面にメカニカルファスナのフック部材や粘着剤などからなる止着域２１が形成されており、吸収性物品１はこの止着域２１において図２の如く着用物品２の内面に取り外し可能に固定される。
【００１２】
着用物品２に固定された吸収性物品１は、前部６と後部７とが着用物品２の胴周り方向ヘ大きく広がる一方、中間部８は着用物品２の股下部３３から外へ出ることがない程度に広がっている。着用物品２は、吸収性物品１を着用者の身体にフィットさせるためのもので、パンツ型を呈する図示例のものは、腹側部３１、背側部３２、股下部３３の他に、胴周り開口部３４と一対の脚周り開口部３６とを有している。この着用物品２は、胴周り方向とその方向に直交する上下方向とに弾性的に伸長可能なシート材料で形成されており、必要に応じて胴周り開口部３４や脚周り開口部３６の周縁部分に弾性部材を伸長状態または非伸長状態で追加的に取り付けることができる。着用物品２はまた、図示例に代えて非弾性的なシート材料で形成されていて、開口部３４，３６に弾性部材が伸長状態で取り付けられているものであってもよい。さらにはまた、着用物品２として、パンツ型や開放型の使い捨ておむつ、トレーニングパンツ、失禁者用パンツ、生理用パンツなどを使用することもできる。
【００１３】
図１の吸収性物品１は、図３に示されているように、第１パネル部材３の内面シート１１と第２パネル部材４の内面シート１１１とを対向させるようにして重ね合わせることができる。かように重ね合わせた吸収性物品１は、第１、第２パネル部材３，４と同様な外形を有する平坦なパネル状のものとなる。
【００１４】
図４，５は、図１のＩＶ−ＩＶ線およびＶ−Ｖ線に沿う切断面を示す図である。第１パネル部材３と４とは、フラップの部分１８，１１８が互いに接合するところを基端にして、中間部８においては開角αでＶ字形に拡開し、後部７においては開角αよりもやや大きい開角βでＶ字形に拡開し、図示されてはいないが前部６は後部７と同様に拡開している。中間部８では、第１、第２パネル部材３と４のフラップ１７と１１７とが仮想線で示す着用者の鼠蹊部３６に下方からフィット可能であり、フィットしたときには、第１、第２パネル部材３，４間が凹部３７を形成する。フラップ１７，１１７において、外面シート１２，１１２はそれに重なる内面シート１１，１１１よりもさらに外方へ延出している。第１、第２パネル部材３，４は、フラップ１７，１１７のうちで中心線Ａに沿う部分１８，１１８における外面シート１２と１１２とが合掌状に重なり合い、溶着または接着により水密状態で接合し一体化している。図４，５のように着用される体液吸収性物品１は、前部６と後部７とが比較的大きく拡開することによって、着用者の胴周りによくフィットする。中間部８では、尿が排泄されると、それがコア１６，１１６に吸収されるまで凹部３７に滞留させておくことができる。第１、第２パネル部材３，４の一番外側に不透液性、より好ましくは撥水性で不透液性の外面シート１２，１１２が位置しているから、尿は第１、第２パネル部材３，４に吸収されたり、凹部３７に滞溜したりしても、体液吸収性物品１の外へ滲み出ることがない。
【００１５】
図６は、吸収性物品１を第１、第２パネル部材３と４とに分解した平面図であって、第１、第２パネル部材３と４とは中心線Ａに関して線対称となるように並べられている。ただし、第１パネル部材３は、一部分が破断して示されている。これらのうちで第１パネル部材３について説明すると、次のとおりである。第１パネル部材３は、ほぼＣ字形を呈するように弧を画いて図の上下方向へ延びており、部材３の周縁部は、Ｃ字形の内側に位置して小さな弧を画く内縁部４１と、Ｃ字形の外側に位置して大きな弧を画く外縁部４２と、内縁部４１と外縁部４２とを図の下方、すなわち第１パネル部材３の前部６においてつなぐ前縁部４３と、内縁部４１と外縁部４２とを図の上方、すなわち第１パネル部材３の後部７においてつなぐ後縁部４４とからなる。第２パネル部材４の周縁部は、第１パネル部材３と同様な内縁部１４１と、外縁部１４２と、前縁部１４３と、後縁部１４４とからなる。第１パネル部材３の外縁部４２は、図１においてフラップ１７の一部分１８となり、第２パネル部材４の外縁部１４２は、図１においてフラップ１１７の一部分１１８となる。
【００１６】
図６の第１、第２パネル部材３と４とは、内面シート１１と１１１とが内側になるように重ね合わせられ、それぞれの外縁部４２，１４２であるフラップの一部分１８と１１８とが合掌状に重なり合って互いに接合されて、図３の状態の吸収性物品１となる。この吸収性物品１は、第１、第２パネル部材３と４とを互いの内面シート１１と１１１とが中心線Ａの両側へ離間するように拡開すれば、図１の状態となる。第１、第２パネル部材３と４とは、弧を画く可撓性の外縁部４２と１４２とで一体になっていることによって、体液吸収性物品１は拡開したときに図１の如き舟形を呈し、幅方向切断面が図４，５の如きＶ字形を呈する。
【００１７】
かような吸収性物品１では、内面シート１１，１１１に透液性の不織布や開孔プラスチックフィルムを使用することができる。外面シート１２，１１２には、不透液性の不織布やプラスチックフィルム、不織布とプラスチックフィルムとのラミネートシートを使用することができる。コア１６，１１６には、粉砕パルプ、粉砕パルプと高吸収性ポリマー粒子との混合物などの吸収性材料をティシュペーパ１６ｔで被覆し圧縮して、厚さが２〜１０ｍｍで、ＪＩＳ  Ｐ  ８１２５に基づく剛軟度が８〜８００ｍＮ・ｃｍとなるように調整したものを使うことが好ましい。かかる剛軟度を有するコア１６，１１６を使用した体液吸収性物品１は、図４の如く鼠蹊部にフィットして、断面がＶ字形を呈する凹部３７を形成することが容易である。コア１６，１１６は、これに熱可塑性合成繊維やプラスチックフィルムの短冊片を２０重量％を限度に混合して加熱圧縮すると、形状が崩れにくいものになると同時に、コア１６，１１６の内部に体液の拡散を容易にする空間を作ることができる。
【００１８】
図７は、この発明の実施態様の一例を示す図１と同様な図面である。この吸収性物品１の第１、第２パネル部材３，４には、それらの内縁部４１，１４１にバリアカフ５１，１５１が設けられている。これらバリアカフ５１，１５１のうち、例えばバリアカフ５１は、内縁部４１の前方部分と後方部分（図６参照）との間に弾性部材５２を伸長状態で設けるとともに、この弾性部材５２と内縁部４１との間を不織布、好ましくは不透液性の不織布、さらに好ましくは不透液性にして撥水性の不織布５３で塞げばよい。このような吸収性物品１は、図４の鼠蹊部３６に対して弾性的にフィットすることが可能になる。
【００１９】
図８は、この発明の実施態様の他の一例を示す図６と同様な図面である。この例では図６の第１パネル部材３と第２パネル部材４とに対応する第１部位３ａと第２部位４ａとのコア１６ａと１１６ａとが中心線Ａ上においてつながり、図においてほぼＸ字状を成す一体的なコア５を形成している。第１、第２部位３ａ，４ａの内面シート１１ａ，１１１ａ、外面シート１２ａ，１１２ａも中心線Ａ上においてつながり、それぞれが１枚のシートでできている。第１部位３ａと第２部位４ａとは、内面シート１１ａ，１１１ａが内側となるように中心線Ａに沿って折り重ね、図示された湾曲している外縁部１８ａと１１８ａとを合掌状に重ねて接合すると、図１とほぼ同様な形状を有する体液吸収性物品１となる。
【００２０】
この発明の体液吸収性物品１は、例えば第１、第２パネル部材３と４とを重ね合わせれば、物品１も平坦なパネル状のものになるので梱包や持ち運びが容易である。この物品１はまた、第１、第２パネル部材３と４との内面シート１１，１１１が互いに離間するように拡開すれば、中間部８に尿などを一時的に滞留させることができる凹部３７が自動的に形成されるので、この種の凹部を有する従来技術の物品と比較して着用するのに手間がかからない。第１、第２パネル部材３，４のコア１６とコア１１６とは、厚さを一様にすることができる他に、前部６および／または後部７における厚さを中間部８における厚さよりも薄くして、着用者の胴周りに対する物品１のフィット性を向上させることもできる。
【００２１】
【発明の効果】
この発明に係る体液吸収性物品は、面対称を成すように互いに向かい合ったパネル状の部位を有するもので、これらの部位を重ね合わせれば物品全体が平坦なパネル状のものになって梱包や持ち運びが容易になる。パネル状の部位どうしは拡開することが容易で、拡開したときには尿を一時的に滞留させることができる凹部が自ずと形成されるので着用に手間がかからない。
【図面の簡単な説明】
【図１】使い捨て体液吸収性物品の部分破断斜視図。
【図２】体液吸収性物品の使用状態を示す図。
【図３】畳まれた体液吸収性物品の斜視図。
【図４】図１のＩＶ−ＩＶ線切断面を示す図。
【図５】図１のＶ−Ｖ線切断面を示す図。
【図６】体液吸収性物品の分解平面図。
【図７】実施態様の一例を示す図１と同様な図。
【図８】実施態様の一例を示す図６と同様な図。
【符号の説明】
１      吸収性物品
２      着用物品
３      第１部位（第１パネル部材）
３ａ      第１部位
４      第２部位（第２パネル部材）
４ａ      第２部位
５      コア
６      前部
７      後部
８      中間部
１１      内面シート
１１ａ      内面シート
１２      外面シート
１２ａ      外面シート
１６      コア（第１コア）
１６ａ      コア
１８      フラップ
１８ａ      フラップ
４１      内縁部
４２      外縁部
４３      前縁部
４４      後縁部
１１１      内面シート
１１１ａ      内面シート
１１２      外面シート
１１２ａ      外面シート
１１６      コア（第２コア）
１１６ａ      コア
１１８      フラップ
１１８ａ      フラップ
１４１      内縁部
１４２      外縁部
１４３      前縁部
１４４      後縁部
Ａ      中心線
【図１】
2004267356.tif 000003
【図２】
2004267356.tif 000004
【図３】
2004267356.tif 000005
【図４】
2004267356.tif 000006
【図５】
2004267356.tif 000007
【図６】
2004267356.tif 000008
【図７】
2004267356.tif 000009
【図８】
2004267356.tif 000010